(57)【要約】【課題】身体各部に好適に使用でき、長期間に亘って優れた美容効果を期待できる美容器を提供する。【解決手段】美容器１は、ハンドル３と、ローラー４とを有している。ハンドル３は、軸部をそれぞれ支持する一対のサブハンドル部３３及び一対のサブハンドル部３３を開閉可能に連結する連結部３４を有している。ローラー４は、軸部にそれぞれ配設されると共に、軸部の軸線を中心に回転可能に支持されている。少なくとも一方のローラー４は、肌に接触させた状態で当該接触部に電流を流すための作用電極４１を有している。作用電極４１を有するローラー４を備えたサブハンドル部４４は、作用電極４１に電力を供給する電源部を有している。【選択図】図１
2015163176.tif 000002
【特許請求の範囲】
【請求項１】
軸部をそれぞれ支持する一対のサブハンドル部及び該一対のサブハンドル部を開閉可能に連結する連結部を有するハンドルと、
上記軸部にそれぞれ配設されると共に、該軸部の軸線を中心に回転可能に支持されたローラーとを有し、
少なくとも一方の上記ローラーは、肌に接触させた状態で当該接触部に電流を流すための作用電極を有しており、
該作用電極を有する上記ローラーを備えた上記サブハンドル部は、上記作用電極に電力を供給する電源部を有していることを特徴とする美容器。
【請求項２】
上記電源部を有する上記サブハンドル部は、上記電源部に接続された対電極を表面に有していることを特徴とする請求項１に記載の美容器。
【請求項３】
上記一対のサブハンドル部はそれぞれ上記電源部及び上記対電極を有しており、上記電源部、上記作用電極及び上記対電極は、上記一対のローラーが肌に接触した状態において、２つの上記電源部を共に含む１本の環状の電流経路が形成されるように接続されていることを特徴とする請求項２に記載の美容器。
【請求項４】
上記一対のサブハンドル部はそれぞれ上記電源部及び上記対電極を有しており、上記電源部、上記作用電極及び上記対電極は、上記一対のローラーが肌に接触した状態において、第１の上記電源部を含む環状の第１電流経路と、第２の上記電源部を含む環状の第２電流経路とが形成されるように接続されていることを特徴とする請求項２に記載の美容器。
【請求項５】
上記電源部は太陽電池パネルであることを特徴とする請求項１〜４のいずれか１項に記載の美容器。
【請求項６】
上記太陽電池パネルは、上記サブハンドル部における、使用者が把持する把持部と上記軸部を支持する軸支持部との間に設けられていることを特徴とする請求項５に記載の美容器。
【発明の詳細な説明】
【技術分野】
【０００１】
本発明は、身体各部の美容のために用いる美容器に関する。
【背景技術】
【０００２】
肌の美容のために、ローラーを肌に押し当てつつ回転させて用いる美容器が知られている。この種の美容器として、二股に分岐した形状を呈する本体部と、本体部の先端にそれぞれ取り付けられたローラーとを有し、一対のローラーの間に使用者の身体各部を挟みこんで使用する美容器がある（例えば、特許文献１）。
【０００３】
また、一対のローラーが肌に接触した状態において、ローラーと肌との接触部に微弱な電流を流すことができるよう構成された美容器がある（例えば、特許文献２）。この美容器によれば、一対のローラーにより美容効果を得たい部分を押圧しつつ微弱な電流を流すことにより、皮膚細胞を活性化する効果、血行を促進する効果及び新陳代謝を促進する効果等を得ることが期待できる。
【先行技術文献】
【特許文献】
【０００４】
【特許文献１】特開２００７−１３０３２７号公報
【特許文献２】特開２０１２−８５８０８号公報
【発明の概要】
【発明が解決しようとする課題】
【０００５】
従来、ローラーと肌との接触部に微弱な電流を流すことができる美容器は、本体部内に電流を流すための電気回路を有している。しかしながら、特許文献１のように二股に分岐した本体部を有する美容器は、一対のローラーの間に使用者の身体各部を挟みこむ際に本体部を開閉する必要があり、本体部の開閉に伴って電気回路を構成する回路部品に曲げや摺動等のストレスが加わることが避けられない。本体部が繰り返し開閉される場合には、接点不良や配線の断線等のトラブルを招き、美容効果が低下するおそれがある。
【０００６】
本発明は、かかる背景に鑑みてなされたものであり、身体各部に好適に使用でき、長期間に亘って優れた美容効果を期待できる美容器を提供しようとするものである。
【課題を解決するための手段】
【０００７】
本発明の一態様は、軸部をそれぞれ支持する一対のサブハンドル部及び該一対のサブハンドル部を開閉可能に連結する連結部を有するハンドルと、
上記軸部にそれぞれ配設されると共に、該軸部の軸線を中心に回転可能に支持されたローラーとを有し、
少なくとも一方の上記ローラーは、肌に接触させた状態で当該接触部に電流を流すための作用電極を有しており、
該作用電極を有する上記ローラーを備えた上記サブハンドル部は、上記作用電極に電力を供給する電源部を有していることを特徴とする美容器にある。
【発明の効果】
【０００８】
上記美容器は、軸部をそれぞれ支持する一対のサブハンドル部及び該一対のサブハンドル部を開閉可能に連結する連結部を有するハンドルを有している。また、上記ローラーは、上記軸部にそれぞれ配設されると共に、該軸部の軸線を中心に回転可能に支持されている。そのため、使用者は、美容効果を得たい部分に上記一対のローラーを押し当てることにより上記一対のサブハンドル部を押し広げることができ、使用する部位の形状に応じて上記一対のローラーの間隔を適宜調整できる。その結果、上記美容器は、顔や腕等の比較的起伏の大きい部分から腹部等の比較的起伏の小さい部分まで好適に使用することができるものとなる。
【０００９】
また、使用者が上記サブハンドル部の開閉の度合いを調節することにより、美容効果を得たい部分に加わる押圧力を容易に調節することができる。そのため、上記美容器は、取り扱いが容易である。
【００１０】
また、少なくとも一方の上記ローラーは、肌に接触させた状態で当該接触部に電流を流すための作用電極を有している。そして、作用電極を有するローラーを備えたサブハンドル部は、それ自体が、上記作用電極に電力を供給する電源部を有している。そのため、上記美容器は、電源部から作用電極へ電力を供給するために必要な回路部品を一方の上記サブハンドル部のみに設けることができ、上記連結部に回路部品を設ける必要がない。その結果、上記美容器は、上記サブハンドル部の開閉に伴って配線等の回路部品にストレスが加わることを回避することができ、接点不良や配線の断線等のトラブルを回避することができる。
【００１１】
また、上記美容器は、一対のローラーによる押圧力と、上記作用電極と肌との接触部に流れる微弱な電流により、押圧される部分の肌の血行が促進されたり、新陳代謝を活性化するなどの効果が期待でき、ひいては肌を美しくする等の優れた美容効果を期待できる。
【００１２】
以上のように、上記美容器は、身体各部に好適に使用でき、長期間に亘って優れた美容効果を期待することができる。
【図面の簡単な説明】
【００１３】
【図１】実施例１における、美容器の斜視図。
【図２】実施例１における、美容器の上面図。
【図３】実施例１における、美容器の側面図。
【図４】実施例１における、美容器をローラー側から見た前面図。
【図５】実施例１における、美容器の分解斜視図。
【図６】図２のVI−VI線矢視断面図。
【図７】図２のVII−VII線矢視断面図。
【図８】図２のVIII−VIII線矢視断面図。
【図９】図２のIX−IX線一部矢視断面図。
【図１０】実施例１における、美容器のハンドルを開く動作の説明図。
【図１１】実施例１における、美容器を使用する際に形成される２本の電流経路の例を示す説明図。
【図１２】実施例２における、美容器の側面図。
【図１３】実施例２における、ベース部の上面図。
【図１４】実施例２における、ばね収容部の下面図。
【図１５】実施例２における、ハンドルが上限まで開いた状態のばね収容部の下面図。
【図１６】実施例３における、美容器を使用する際に形成される１本の環状の電流経路の例を示す説明図。
【発明を実施するための形態】
【００１４】
上記美容器において、上記作用電極は、導電性を有する材料から構成することができる。例えば、作用電極は、上記ローラーの表面にクロムめっき処理やチタンめっき処理等を施して作製した導電性めっき膜であってもよい。また、ローラー自体が金属等の導電性を有する材料から構成されていてもよい。この場合には、ローラー自体を作用電極として機能させることができる。
【００１５】
上記電源部を有するサブハンドル部は、電源部に接続された対電極を表面に有していることが好ましい。この場合には、対電極を手のひらに接触させた状態で一対のローラーの間に美容効果を得たい部分を挟みこむことにより、電源部と、人体と、上記電源部に接続された作用電極及び対電極とを含む環状の電流経路が形成される。これにより、対電極を有さない場合に比べて上記電流経路を短くすることができ、作用電極と肌との接触部分に効率よく微弱電流を流すことができる。その結果、より優れた美容効果を期待することができる。
【００１６】
上記作用電極及び上記電源部は、一対のサブハンドル部のうち、一方側のみに設けられていてもよく、両方に設けられていてもよい。例えば、一対のサブハンドル部はそれぞれ電源部及び対電極を有しており、電源部、作用電極及び対電極は、一対のローラーが肌に接触した状態において、第１の上記電源部を含む環状の第１電流経路と、第２の上記電源部を含む環状の第２電流経路とが形成されるように接続されていてもよい。
【００１７】
即ち、第１電流経路において電源部から作用電極へ流れる電流が、第２電流経路において電源部から作用電極へ流れる電流と同じ向きに流れるように接続されていてもよい。この場合には、第１電流経路及び第２電流経路のそれぞれにおいて、作用電極と肌との接触部分に効率よく微弱電流を流すことができる。その結果、より優れた美容効果を期待することができる。
【００１８】
上記作用電極及び上記電源部が両方のサブハンドル部に設けられている場合には、一対のローラーが肌に接触した状態において、２つの電源部が直列接続されるように構成されていることが好ましい。即ち、一対のサブハンドル部はそれぞれ電源部及び対電極を有しており、電源部、作用電極及び対電極は、一対のローラーが肌に接触した状態において、２つの上記電源部を共に含む１本の環状の電流経路が形成されるように接続されていることが好ましい。
【００１９】
この場合には、上述した、１つの電源部と、人体と、電源部に接続された作用電極及び対電極とを含む電流経路が形成される場合に比べて電流経路の経路長をより短くすることができる。更に、この場合には、２つの電源部が直列接続されるため、電流経路に含まれる電源部が１つの場合に比べて、起電力を容易に大きくすることができる。これらの結果、一対のローラーの間に挟みこまれた肌に、より確実に、かつ、効率よく微弱電流を流すことができ、より優れた美容効果を期待することができる。
【００２０】
上記作用電極に電力を供給する電源部は、少なくとも電力源としての電池を有しており、必要に応じて電流の大きさや極性等を制御する制御回路を有していてもよい。電力源としては、例えば、一次電池や二次電池等を用いることができる。電力源として一次電池や二次電池を用いる場合、サブハンドル部は、これらの電池を内部に収容可能に構成されていてもよい。また、これらの電池はサブハンドル部の外周面に着脱自在に装着されていてもよい。
【００２１】
電源部は、太陽電池パネルを有していることが好ましい。この場合には、サブハンドル部に電力源としての一次電池等を設ける必要がないため、上記美容器を容易に軽量化することができる。また、この場合には、電池交換の必要がなくなるため、上記美容器の扱い易さがより向上する。
【００２２】
また、太陽電池パネルは、上記サブハンドル部における、使用者が把持する把持部と軸部を支持する軸支持部との間に設けられていることが好ましい。この場合には、上記美容器を使用する際に、使用者が把持部を把持することにより、太陽電池パネルが手や腕の影に覆われにくくなる。そのため、作用電極への電力の供給を途絶えにくくすることができ、上記美容器の扱い易さがより向上する。
【００２３】
また、上記美容器は、上記一対のローラーの間隔の上限を規制する開閉規制手段を有していてもよい。上記美容器は、上記開閉規制手段を設けることにより、一対のローラーの間隔が過度に広くなることを確実に防止することができる。その結果、上記美容器の破損を確実に防止することができる。
【００２４】
上記一対のローラーの間隔は、開閉規制手段により、５０ｍｍ以下に規制されることが好ましく、３５ｍｍ以下に規制されることがより好ましく、２０ｍｍ以下に規制されることが更に好ましい。一方、上記ローラーの間隔の下限は規制されていなくても良いが、一対のローラーに挟まれる部分において体感する押圧力が過度に大きくなる場合には、上記開閉規制手段あるいはその他の手段により規制されていても良い。
【００２５】
上記開閉規制手段としては、例えば、サブハンドル部の開閉範囲の上限を規制する部材を設けることができる。この場合には、サブハンドル部の開閉範囲の上限が上記部材の位置に応じて規制される。その結果、上記一対のローラーの間隔の上限を規制することができる。
【００２６】
また、上記サブハンドル部自身が上記開閉規制手段として機能するように構成されていてもよい。上記構成としては、例えば、サブハンドル部が限界まで開いた状態において、サブハンドル部の一部を互いに当接させる構成がある。このように構成されたサブハンドル部は、互いに当接した状態が上限となるように開閉範囲が規制される。その結果、上記一対のローラーの間隔の上限を規制することができる。
【００２７】
また、上記開閉規制手段が上記連結部に設けられていてもよい。この場合には、上記サブハンドル部の開閉動作に関わる上記連結部及び上記開閉規制手段が１箇所にまとめて配置されるため、上記美容器のデザインの自由度がより高くなる。また、上記連結部及び上記開閉規制手段が１箇所にまとまることにより、美容器の扱い易さをより向上させることができる。
【００２８】
上記一対の軸部と上記連結部とは、上記サブハンドル部における互いに反対側の端部に設けられていることが好ましい。この場合には、使用者が上記サブハンドル部の開閉の度合いを調節することにより、上記一対のローラーの間隔を変更できる。そのため、上記ハンドルの開閉動作の大きさと、上記一対のローラーの間隔の変化量との関係が使用者にとって感覚的に把握し易くなる。また、上記サブハンドル部の開閉の度合いを調節することにより、美容効果を得たい部分に加わる押圧力を容易に調節することができる。その結果、美容器の扱い易さをより向上させることができ、より優れた美容効果を期待できる。
【００２９】
上記一対の軸部は、自然状態において、上記ハンドル側の基部から先端側へ向かうにつれて上記一対の軸線の間隔が広がる拡開状態となるよう配置されていてもよい。この場合には、上記美容器を肌に押し当てる際に、上記一対のローラーの間隔を容易に押し広げることができる。その結果、上記美容器は、使用者にとってより扱い易いものとなる。
【００３０】
ここで、上記自然状態とは、上記美容器が使用されておらず、一対のローラーの間に美容効果を得たい部分が挟み込まれていない状態をいう。
【００３１】
また、上記美容器は、上記一対のローラーの間隔を自然状態に戻すための付勢力を発生させる付勢手段を有していてもよい。この場合には、一対のローラーの間隔が広がった状態において付勢手段による付勢力が各々のローラーに作用し、一対のローラーが互いに近づく方向に付勢される。そのため、一対のローラーの間に挟み込まれた部分に適度に大きな押圧力を加えることができる。その結果、より優れた美容効果を期待できる。
【００３２】
上記付勢手段には、例えば、ばね部材やゴム等を用いることができる。これらのうち、上記付勢手段としては、金属製のばね部材を用いることが好ましい。金属製のばね部材は、上記付勢力を適度に大きくし易い。そのため、上記美容器の使用により、より優れた美容効果を期待できる。
【００３３】
また、上記自然状態において、上記一対のローラーが互いに離隔していてもよい。この場合には、美容効果を得たい部分に上記一対のローラーを押し当てた際に、上記ローラーの間に当該部分がある程度挟み込まれた状態を自然に実現することができる。一方、上記美容器が上記付勢手段を有する場合には、上記一対のローラーが自然状態において互いに当接していると、当該部分が上記ローラーの間に挟み込まれた状態を実現するために、上記付勢力に抗して上記一対のローラーの間隔を押し広げる必要がある。それ故、上記自然状態において、上記一対のローラーが互いに離隔している美容器は、美容効果を得たい部分を上記ローラーの間に挟みこむ動作をより容易に行うことができ、使用者にとってより扱い易いものとなる。なお、上記自然状態において、上記一対のローラーが互いに離隔している場合には、上記自然状態における上記一対のローラーの間隔は、１〜５０ｍｍの範囲で適宜設定することができる。
【００３４】
また、上記一対の軸部は、常に、上記拡開状態となるよう配置されていてもよい。この場合には、一対のローラーの間に挟まれた部分において体感する押圧力を適度に大きくし、優れた美容効果を期待できると共に、美容器の扱い易さをより向上させることができる。
【００３５】
また、上記ハンドルは、上記一対の軸線を含む平面に対して傾いていることが好ましい。この場合には、上記ハンドルが肌面に沿うようにして上記一対のローラーを肌面に押し当てることにより、上記一対の軸線を含む平面が肌面に対して傾斜した状態となる。そして、この状態を維持しつつ上記美容器を動かすことにより、一対のローラーにより摘み上げられるように美容効果を得たい部分を変形させることができる。その結果、上記美容器の使用により、より優れた美容効果を期待できる。
【００３６】
また、上述した肌を摘み上げる作用は、一対のローラーの間隔によって変化し、一対のローラーの間隔を適切な範囲に保つことにより、上記作用を確実に体感させることができる。それ故、上記ハンドルが上記一対の軸線を含む平面に対して傾いている場合には、さらに上記開閉規制手段を設けることにより、上記作用を確実に体感させることができ、ひいてはより優れた美容効果を期待できる。
【００３７】
また、上記ローラーは、略球体形状とすることができる。この場合には、上記ローラーによる押圧力が、一対のローラーの間に挟まれた部分に集中し易くなるため、体感できる押圧力を十分に大きくでき、より優れた美容効果を期待できる。また、この場合には、上記一対のローラーを肌に押し付けつつ回転させる動作をよりスムーズに行うことができ、美容器の扱い易さをより向上させることができる。
【００３８】
なお、上述した略球体形状には、真球と、回転楕円体や涙滴形状等の一般的な感覚として球形と認められる程度に真球を歪めてなる形状が含まれる。また、上記ローラーは、滑らかな曲面より構成された表面を有していても良く、例えば多数の三角形や四角形等により構成された表面を有する多面体であってもよい。上記ローラーが多面体である場合には、滑らかな曲面より構成された表面を有するローラーに比べて、ローラーの表面が肌に対して滑ることを抑制でき、より優れた美容効果を期待できる。
【実施例】
【００３９】
（実施例１）
上記美容器の実施例について、図１〜図１１を用いて説明する。図１及び図５に示すように、美容器１は、一対の軸部２を有するハンドル３と、一対のローラー４と、付勢手段５としてのばね部材５１とを有している。一対のローラー４は、それぞれ軸部２に配設されると共に、軸部２の軸線Ａ（図３及び図４参照）を中心に回転可能に支持されている。また、一対のローラー４は、図４に示す互いの間隔ｄを変更可能に構成されている。ばね部材５１は、一対のローラー４の間隔ｄを自然状態に戻すための付勢力を発生させることができるよう構成されている。また、美容器１は、図１０に示すように、一対のローラー４の間隔ｄの上限を規制する開閉規制手段としての規制プレート７１及び規制ピン７２を有している。
【００４０】
図１及び図２に示すように、美容器１は略Ｕ字状を呈するハンドル３を有している。ハンドル３の二股に分かれた先端には、一対のローラー４が互いに並んで配置されている。一対のローラー４は、それぞれ、ハンドル３の先端に設けられた軸部２を介して、ハンドル３に回転可能に支持されている。また、図３に示すように、美容器１は、一対のローラー４の並び方向から見て略弧状を呈するように湾曲している。
【００４１】
以下において、一対のローラー４の並び方向を「側方方向」、ローラー４とハンドル３との並び方向を「前後方向」ということがある。また、前後方向におけるローラー４側を「前方」といい、ハンドル３側を「後方」ということがある。また、美容器１を側方方向から見た時の略弧状形状における、凸形状側を「上方」といい、凹形状側を「下方」ということがある。これらの方向に関する記載は便宜上のものであり、美容器１を使用する際の実際の方向とは何ら関係がない。
【００４２】
図１〜図４に示すように、ハンドル３は、軸部２を支持する軸支持部３１が、それよりも後方の把持部３２の長手方向に対して斜め下方を向くように屈曲されている。つまり、図２に示す上面視及び図４に示す前面視において、ハンドル３の軸支持部３１は、前方へ向かうにつれて側方方向における外側へ広がっている。また、便宜上図示しないが、軸支持部３１にそれぞれ支持された軸部２は、軸支持部３１とともに、前方へ向かうにつれて外側に広がるように延設されている。これにより、一対の軸部２は、自然状態において、ハンドル３側の基部から先端側（前方）へ向かうにつれて一対の軸線Ａの間隔が広がる拡開状態となるよう配置されている。なお、本例の美容器１における一対の軸線Ａのなす角θ（図４参照）は７０°である。一対の軸線Ａのなす角θは、４０〜１２０°の間で適宜設定することができ、５０〜９０°の範囲であることがより好ましい。
【００４３】
また、図３に示す側面視において、ハンドル３の軸支持部３１は、把持部３２の長手方向に対して斜め下方を向いている。そして、軸支持部３１にそれぞれ配設された軸部２は、軸支持部３１とともに斜め下方へ向けて延設されている（図示略）。そのため、ハンドル３の把持部３２は、一対の軸線Ａを含む平面Ｐに対して傾いている。
【００４４】
図２及び図３に示すように、ハンドル３に支持されるローラー４は、多数の三角形より構成される多面体であり、略球体状を呈している。ローラー４の表面にはチタンめっきが施されており、図１及び図２に示すように電気伝導性を有するチタンめっき膜よりなる作用電極４１が設けられている。
【００４５】
図８に示すように、ローラー４は、軸部２及び軸部２に組み付けられたベアリング２１を介してハンドル３に支持されている。ベアリング２１は導電性を有する樹脂より構成されており、ローラー４が取り付けられた状態において作用電極４１と接触している。作用電極４１は、ベアリング２１及び軸部２を介して後述する太陽電池パネル６と電気的に接続されている。
【００４６】
また、軸部２の長手方向における略中央部には、周囲よりも外径の太いＯリング受け部２２が形成されており、Ｏリング受け部２２と軸支持部３１との間にＯリング２３が狭持されている。これにより、ハンドル３とローラー４との間からハンドル３の内部へ向けて水分等が浸入することを防止できるよう構成されている。
【００４７】
なお、本例の美容器１は、自然状態における一対のローラー４の間隔ｄ（図４参照）が１０ｍｍとなるように構成されている。また、本例のローラー４は、軸線Ａに垂直な断面における直径を、１５〜６０ｍｍの範囲から適宜選択することができる。
【００４８】
また、図２、図５〜図６及び図１０に示すように、ハンドル３の後方には、ばね部材５１及び開閉規制手段が設けられている。ばね部材５１及び開閉規制手段の詳細については、後述する。
【００４９】
図１、図２及び図５に示すように、ハンドル３は、軸部２をそれぞれ支持する一対のサブハンドル部３３と、一対のサブハンドル部３３を開閉可能に連結する連結部３４とを有している。図１及び図２に示すように、連結部３４は、ハンドル３の後方、つまりローラー４と反対側の端部に配置されている。そして、サブハンドル部３３は連結部３４から前方へ向けて延設されており、側方方向に互いに並んで配置されている。このように、本例の美容器１は、一対の軸部２と連結部３４とが、サブハンドル部３３における互いに反対側の端部に設けられている。
【００５０】
サブハンドル部３３は、図２に示すように略棒状を呈すると共に、構造的に剛性が高くなるよう、前後方向に垂直な断面が略楕円状を呈している。
【００５１】
また、図５に示すように、サブハンドル部３３は、前後方向の全体にわたって延設されるベース部３３１と、ばね部材５１を収容する下側ばね収容部３３２及び上側ばね収容部３３３と、上側ばね収容部３３３を覆うケース部３３４とを有している。下側ばね収容部３３２、上側ばね収容部３３３及びケース部３３４は、サブハンドル部３３の後半部に配置されている。また、図５及び図７に示すように、下側ばね収容部３３２、上側ばね収容部３３３及びケース部３３４は、前後方向の両端において、ねじ３３５によりベース部３３１と締結されている。
【００５２】
ベース部３３１は、電気絶縁性の樹脂より形成されている。ベース部３３１は軸支持部３１を有しており、図８に示すように、軸支持部３１に軸部２が埋設されている。ベース部３３１への軸部２の埋設は、以下の手順により行われる。まず、ベース部３３１と同じ材質よりなるカップ状のＯリング押さえ２４を準備する。次いで、軸部２にＯリング２３及びＯリング押さえ２４を順次組み付け、Ｏリング２３がＯリング押さえ２４とＯリング受け部２２との間に狭持された状態にする。この状態の軸部２を、インサート成形によりベース部３３１に埋設する。以上により、図８に示すように、軸支持部３１に軸部２を埋設することができる。
【００５３】
また、図９に示すように、ベース部３３１におけるケース部３３４の近傍部分には、通電ピン６５が埋設されている。通電ピン６５は、後述するように、太陽電池パネル６と対電極３３７との間の電流経路の一部となる。ベース部３３１への通電ピン６５の埋設は、軸部２の埋設と同様の手順により行われる。まず、ベース部３３１と同じ材質よりなる、カップ状のＯリング受け６５１及び板状のＯリング押さえ６５２を準備する。次いで、通電ピン６５に、Ｏリング受け６５１、Ｏリング６５３及びＯリング押さえ６５２を順次組み付け、Ｏリング６５３がＯリング押さえ６５２とＯリング受け６５１との間に狭持された状態にする。この状態の通電ピン６５を、インサート成形によりベース部３３１に埋設する。以上により、ベース部３３１に通電ピン６５を埋設することができる。通電ピン６５に組み付けられたＯリング６５３により、後方（ケース部３３４側）から太陽電池パネル６側への水等の浸入を防止することができる。
【００５４】
上述したように、Ｏリング２３やＯリング６５３をＯリング押さえ２４等と共に予め軸部２等に組み付け、次いでインサート成形によりベース部３３１に固定することにより、狭く、入り組んだ構造を有する部分においても、容易かつ確実に防水性を確保することができる。即ち、予め軸部２や通電ピン６５にＯリング２３等を組み付けることにより、軸部２等を固定した後にＯリング２３等を組み付ける場合に比べて、Ｏリング２３等を所定の位置に容易かつ確実に配置することができる。そして、この状態においてインサート成形を行うことにより、Ｏリング２３等が所定の位置に固定されるため、確実に防水性を得ることができる。
【００５５】
また、Ｏリング押さえ２４等にベース部３３１と相溶可能な材質を用いることにより、インサート成形の際に、Ｏリング押さえ２４等とベース部３３１とを互いに溶着させることができる。これにより、Ｏリング押さえ２４等とベース部３３１との間の隙間を封止することができ、防水性をより高めることができる。
【００５６】
図２及び図５に示すように、ベース部３３１は、ケース部３３４とハンドル３の軸支持部３１との間に太陽電池パネル６を有している。図９に示すように、太陽電池パネル６は、レンズカバー６１、太陽電池セル６２、第１セル支持体６３及び第２セル支持体６４が順次積層された構造を有しており、レンズカバー６１がベース部３３１の上方に露出している。レンズカバー６１とベース部３３１との間にはパッキン６１１が狭持されており、ベース部３３１との間の隙間からの水分等の浸入を防止することができる。また、同一のサブハンドル部３３に設けられた太陽電池パネル６、ローラー４及びケース部３３４は互いに電気的に接続されている。即ち、太陽電池セル６２の一方の端子６２１は、軸部２及びベアリング２１を介してローラー４の表面に設けられた作用電極４１と電気的に接続されている。また、太陽電池セル６２の他方の端子６２２は、通電ピン６５及び通電ばね６６を介して、ケース部３３４の表面に設けられた対電極３３７（後述）と電気的に接続されている。
【００５７】
上側ばね収容部３３３及び下側ばね収容部３３２は、電気絶縁性の樹脂より形成されている。図６に示すように、上側ばね収容部３３３及び下側ばね収容部３３２は、互いに組み合わされた状態において、両者の間にばね部材５１を収容するためのばね収容空間３５が形成されるよう構成されている。図２及び図６に示すように、ばね収容空間３５は、ハンドル３の開閉動作を行う際にばね部材５１が大きな遊びがなく変形するように、ばね部材５１のサイズに対応した寸法に形成されている。また、図７に示すように、ばね収容空間３５の後端部３５１は、後述する連結部３４における筒状部材３４１の筒内空間３４２に連通している。これにより、ばね部材５１は、図２に示すように、連結部３４を通過して一対のサブハンドル部３３まで延設されている。
【００５８】
ケース部３３４は、ＡＢＳ樹脂より構成されている。また、ケース部３３４の表面にはクロムめっきが施されており、図１及び図２に示すように電気伝導性を有するクロムめっき膜よりなる対電極３３７が設けられている。対電極３３７は、太陽電池パネル６と電気的に接続されている。
【００５９】
図５及び図６に示すように、一対のサブハンドル部３３を連結する連結部３４は、筒状部材３４１と、規制プレート７１と、規制ピン７２とを有している。規制プレート７１及び規制ピン７２は、一対のサブハンドル部３３を連結する連結部３４としての機能と、一対のローラー４の間隔ｄの上限を規制する開閉規制手段としての機能との双方の機能を有している。
【００６０】
筒状部材３４１はエラストマーより構成されており、図５及び図７に示すように側方方向の両端に開口端部３４３を有している。各々の開口端部３４３にはサブハンドル部３３の後端が挿入されている。また、筒状部材３４１の筒内空間３４２は、サブハンドル部３３に組み付けられた状態において、ばね収容空間３５と連通している。
【００６１】
規制プレート７１は、ハンドル３の後方端部における略Ｕ字形状に沿って配置されている。図２及び図１０に示すように、規制プレート７１は、筒状部材３４１内を通過する基部７１２と、基部７１２から各々のサブハンドル部３３に向けて延設された腕部７１３とを有する金属板より構成されている。図１０に示すように、腕部７１３は、略四角形状のピン挿通穴７１１を前方端部に有すると共に、ピン挿通穴７１１よりも基部７１２側（後方）にボス挿通穴７１４を有している。
【００６２】
図６及び図１０に示すように、ピン挿通穴７１１には、金属より構成された規制ピン７２が貫通して配置されている。図６に示すように、規制ピン７２は、ピン挿通穴７１１よりも小さい外径を有する円柱状に形成されている。また、規制ピン７２は、上下方向の端部がベース部３３１及びケース部３３４に固定されている。そのため、規制ピン７２の位置は、ハンドル３の開閉動作に伴い、ピン挿通穴７１１の開口している範囲を限度として変更される（図１０、矢印１０１）。
【００６３】
また、図７に示すように、ボス挿通穴７１４には、ケース部３３４に立設されたボス３３６が挿入されている。そのため、規制プレート７１は、ボス３３６に対して一定の位置に保持される。また、ハンドル３を開閉する際に、サブハンドル部３３がボス３３６を中心として回動する（図１０、矢印１０２）。
【００６４】
ばね部材５１は、図２及び図５〜図７に示すように、略Ｕ字状に屈曲された金属棒より構成されており、サブハンドル部３３のばね収容空間３５と、筒状部材３４１の筒内空間３４２との双方を通過するように配置されている。また、ばね部材５１は、ハンドル３の開閉動作に伴って変形し、ばね部材５１が変形した状態においては、自然状態に戻る方向に付勢され、ばね収容空間３５の壁面を押圧する。これにより、ばね部材５１の付勢力は、サブハンドル部３３を介して一対のローラー４に伝達される。
【００６５】
次に、本例の美容器１の開閉規制手段の動作について、美容器１の使用方法と共に説明する。美容器１を使用する際、使用者は、サブハンドル部３３の対電極３３７を手のひらに接触させつつ、太陽電池パネル６に光が入射するようにして把持部３２を把持する。そして、図３に示すように、把持部３２が肌面８に沿うようにして一対のローラー４を肌面８に押し当てる。このようにローラー４を押し当てることにより、一対の軸線Ａを含む平面Ｐが肌面８に対して傾斜した状態となる。
【００６６】
一対のローラー４を肌面８に当接させた状態から、一対のローラー４を押し当てる力をさらに強くすることにより、ばね部材５１の付勢力に抗してハンドル３が開き（図１０、矢印１０２）、一対のローラー４の間隔ｄを押し広げることができる（図４、矢印１００）。本例の美容器１における一対の軸部２は、一対のローラー４の間隔ｄが自然状態から変更された状態及び自然状態のいずれの状態においても、ハンドル３側の基部から先端側へ向かうにつれて一対の軸線Ａの間隔が広がる拡開状態を維持するよう構成されている。すなわち、本例の美容器１は、常に、拡開状態となるよう構成されている。
【００６７】
このとき、規制プレート７１及び規制ピン７２は、以下のようにして開閉規制手段として機能する。サブハンドル部３３の内部においては、ベース部３３１及びケース部３３４に固定された規制ピン７２が、ハンドル３が自然状態から開く（図１０、矢印１０２）につれて側方方向の外方に移動する（図１０、矢印１０１）。そして、規制ピン７２がピン挿通穴７１１の端縁に当接すると、それ以上ハンドル３を開くことができなくなる。
【００６８】
本例の美容器１における規制プレート７１及び規制ピン７２は、サブハンドル部３３を開閉させた際に、一対のローラー４の間隔ｄを１〜５０ｍｍの範囲内で変更できるように設計されている。一方、本例の美容器１は、ベース部３３１がＡＢＳ樹脂より構成されている。そのため、一対のローラー４を肌面８に押し当てる力を大きくすることにより、サブハンドル部３３を弾性変形させて一対のローラー４の間隔ｄを上記特定の範囲よりも広げることができる。本例の美容器１においては、実用上、サブハンドル部３３を弾性変形させた場合における一対のローラー４の間隔ｄの最大値は６５ｍｍである。
【００６９】
一対のローラー４を肌面８に当接させた状態において、美容器１をローラー４側からハンドル３側へ向かう方向へ移動させることにより、図３及び図４に示すように美容効果を得たい部分が一対のローラー４の間に巻き込まれ、肌面８が上記一対のローラー４により摘み上げられるように変形する。
【００７０】
この時、美容器１を移動させると共に、ハンドル３を閉じる方向に力をかけることにより、一対のローラー４の間に挟みこまれた部分にかかる押圧力を大きくすることができる。
【００７１】
また、ローラー４の表面に設けられた作用電極４１が肌面８と接触し、かつ、ハンドル３の対電極３３７が手のひら８１と接触している間は、太陽電池パネル６、作用電極４１、対電極３３７及び人体を含む閉回路が形成される。そのため、太陽電池パネル６の起電力により、ローラー４と接触する人体肌に電流を流すことができる。
【００７２】
次に、本例の作用効果について説明する。
【００７３】
美容器１は、互いの間隔ｄを変更可能に構成された一対のローラー４と、付勢手段５としてのばね部材５１とを有している。そのため、美容器１は、顔や腕等の比較的起伏の大きい部分から腹部等の比較的起伏の小さい部分まで好適に使用することができるものとなる。
【００７４】
また、美容器１は、一対のローラー４の間隔ｄが広がった状態においては、付勢手段５による付勢力が各々のローラー４に作用し、一対のローラー４が互いに近づく方向に付勢される。そのため、一対のローラー４に押圧される部分の肌の血行が促進されたり、新陳代謝を活性化するなどの効果が期待でき、ひいては肌を美しくする等の美容効果を期待できる。
【００７５】
また、美容器１は、開閉規制手段としての規制プレート７１及び規制ピン７２を有している。そのため、美容器１は、一対のローラー４の間隔ｄが過度に広くなることを確実に防止でき、美容器１の破損を確実に防止できる。
【００７６】
また、一対の軸部２は、常に、ハンドル３側の基部から先端側に向かうにつれて一対の軸線Ａの間隔が広がる拡開状態となるよう配置されている。つまり、美容器１は、自然状態において上記拡開状態が実現されることにより、使用者にとってより扱い易いものとなる。また、一対のローラー４の間隔ｄが自然状態から変更された状態において上記拡開状態が実現されることにより、一対のローラー４の間に挟まれた部分において体感する押圧力を適度に大きくでき、より優れた美容効果を期待できる。
【００７７】
また、ハンドル３は、軸部２をそれぞれ支持する一対のサブハンドル部３３と、一対のサブハンドル部３３を連結する連結部３４とを有している。そして、一対の軸部２と連結部３４とが、サブハンドル部３３における互いに反対側の端部に設けられている。そのため、使用者は、サブハンドル部３３の開閉の度合いを調節することにより、一対のローラー４の間隔ｄを変更し、美容効果を得たい部分に加わる押圧力を容易に調節することができる。その結果、美容器１の扱い易さをより向上させることができると共に、より優れた美容効果を期待できる。
【００７８】
また、ハンドル３は、一対の軸線Ａを含む平面Ｐに対して傾いている。さらに、本例においては、規制プレート７１及び規制ピン７２は、サブハンドル部３３を開閉させた際に、一対のローラー４の間隔ｄを１〜５０ｍｍの範囲で変更できるように設計されている。一対のローラー４の間隔ｄを適切な範囲に保つことにより、上述した肌の摘み上げによる作用を確実に体感させることができる。その結果、より優れた美容効果を期待できる。
【００７９】
また、ローラー４は、略球体形状を呈している。そのため、ローラー４による押圧力が集中し易くなり、使用者が体感する押圧力が十分に大きくなりやすい。また、一対のローラー４を肌に押し付けつつ回転させる動作をよりスムーズに行うことができ、美容器１の扱い易さをより向上させることができる。
【００８０】
また、ハンドル３は太陽電池パネル６を有しており、太陽電池パネル６の起電力により、ローラー４と接触する人体肌に電流を流すことができるよう構成されている。そのため、美容器１の使用により、より優れた美容効果を期待できる。
【００８１】
また、本例においては、同一のサブハンドル部３３に設けられた太陽電池パネル６、作用電極４１及び対電極３３７が互いに接続されており、サブハンドル部３３ごとに人体肌を含む閉回路を形成することができる。
【００８２】
即ち、図１１に一例を示すように、一対のサブハンドル部３３（３３ａ、３３ｂ）はそれぞれ太陽電池パネル６（６ａ、６ｂ）及び対電極３３７（３３７ａ、３３７ｂ）を有している。そして、太陽電池パネル６、作用電極４１（４１ａ、４１ｂ）及び対電極３３７は、一対のローラー４が肌面８に接触した状態において、第１の太陽電池パネル６ａを含む環状の第１電流経路ｉ１と、第２の太陽電池パネル６ｂを含む環状の第２電流経路ｉ２とが形成されるように接続されている。なお、図１１には、太陽電池パネル６の正極を作用電極４１に接続し、負極を対電極３３７に接続した例を示したが、太陽電池パネル６の正極を対電極３３７に接続し、負極を作用電極４１に接続する構成の場合にも、２本の電流経路ｉ１及びｉ２を形成することができる。
【００８３】
美容器１は、作用電極４１を有するローラー４を備えたサブハンドル部３３に太陽電池パネル６が設けられているため、太陽電池パネル６と作用電極４１等とを接続する配線等を連結部３４に設ける必要がない。それ故、サブハンドル部３３の開閉に伴って、太陽電池パネル６と作用電極４１等とを接続する配線等にストレスが加わることを回避することができ、接点不良や配線の断線等のトラブルを回避することができる。その結果、ローラー４及びケース部３３４と人体肌との接触が不良となることを抑制でき、長期間に亘って優れた美容効果を期待できる。
【００８４】
また、一対のローラー４が肌に接触した状態において、太陽電池パネル６、作用電極４１、一対のローラー４に挟まれた肌面８、手のひら８１及び対電極３３７を順次通る環状の電流経路ｉ１及びｉ２が形成される。そのため、第１電流経路ｉ１及び第２電流経路ｉ２のそれぞれにおける作用電極４１と肌面８との接触部分に効率よく微弱電流を流すことができる。その結果、より優れた美容効果を期待することができる。
【００８５】
また、本例のサブハンドル部３３は、前後方向の断面が略楕円形であるため、構造上、高い剛性を有する。そして、サブハンドル部３３は、金属板よりなる規制プレート７１により補強され、規制プレート７１を有しない場合に比べてより高い剛性を有する。これらの構成を具備することにより、美容器１は、サブハンドル部３３が弾性変形した場合にも、一対のローラー４により美容効果を得たい部分に加わる押圧力を十分に大きくすることができる。
【００８６】
サブハンドル部３３の剛性が過度に低い場合には、美容効果を得たい部分を一対のローラー４により押圧しようとすると、サブハンドル部３３が撓むおそれがある。そのため、場合によってはハンドル３の開閉動作を行っても一対のローラー４の間隔ｄが十分に狭められず、美容効果を得たい部分に加わる押圧力が十分に体感できなくなるおそれがある。一方、本例の美容器１は、上記の構成を有することにより、かかる問題を回避でき、ハンドル３の開閉動作により美容効果を得たい部分に加わる押圧力を十分に大きくすることができる。以上の結果、美容器１は、体感できる押圧力を十分に大きくでき、より優れた美容効果を期待できる。
【００８７】
以上のように、美容器１は、身体各部に好適に使用できると共に、優れた美容効果を期待できる。
【００８８】
（実施例２）
本例は、部品点数を低減しつつ、剛性を高めたサブハンドル部３６を有する美容器１の例である。なお、図には示さないが、本例の美容器１の外形は実施例１と同一である。
【００８９】
図１２に示すように、サブハンドル部３６は、ベース部３６１と、ばね収容部３６２と、ケース部３６３との３つの部品から構成されている。ばね収容部３６２及びケース部３６３は、ベース部３６１の後半部に配置されており、ねじ（図示略）によりベース部３６１に締結されている。なお、図１２においては、便宜上、ローラー４、規制ピン７２及びねじ等の記載を省略している。
【００９０】
図１２及び図１３に示すように、ベース部３６１は、ばね収容部３６２が重ね合わされる部分に、剛性を高めるためのリブ３６４を有している。これにより、ベース部３６１自身の剛性を高め、ひいてはサブハンドル部３６の剛性をより高めることができる。
【００９１】
ばね部材５１が収容されるばね収容空間３５は、ベース部３６１とばね収容部３６２との間に形成される。図１４に示すように、本例のばね収容空間３５は、ばね収容部３６２に、ばね部材５１のサイズに対応した凹部を設けることにより形成されている。
【００９２】
また、本例においては、図１４に示すように、ばね収容部３６２の後端、すなわち、連結部３４に挿入された状態で互いに対面する部分に、開閉規制手段として機能する規制凸部３６５が設けられている。
【００９３】
規制凸部３６５は、前後方向の略中央部に設けられた頂部３６６が自然状態において互いに当接するように構成されている。また、規制凸部３６５は、頂部３６６から前後方向へ向かうにつれて、側方方向の外方へ後退する傾斜面３６７（３６７ａ、３６７ｂ）を有している。傾斜面３６７ａ及び３６７ｂは、図１４に示すように、自然状態において互いに離間するように配置されている。
【００９４】
このように構成された規制凸部３６５は、以下のようにして開閉規制手段として機能する。すなわち、ハンドル３を開くと、規制プレート７１のボス挿通穴７１４（図示略）に挿入されたボス３６８を中心として一対のサブハンドル部３６が回動する（図１４、矢印１０３）。このとき、サブハンドル部３６の回動に伴い、規制凸部３６５における後方側の傾斜面３６７ａが互いに接近し、やがて傾斜面３６７ａ同士が当接する。そして、図１５に示す、後方側の傾斜面３６７ａ同士が当接した状態を限界として、それ以上ハンドル３を開くことができなくなる。このように、傾斜面３６７ａ同士が当接する位置を上限としてハンドル３の開閉動作が規制されることにより、一対のローラー４の間隔ｄの変更し得る範囲の上限が規制される。
【００９５】
なお、本例においては、規制凸部３６５における前方側の傾斜面３６７ｂにより、ハンドル３を閉じる際の下限が規制される。すなわち、上述と同様に、ハンドル３を閉じると、サブハンドル部３６が回動すると共に、前方側の傾斜面３６７ｂが互いに接近する。そして、ハンドル３を閉じる動作を継続すると、やがて傾斜面３６７ｂが当接し、前方側の傾斜面３６７ｂ同士が当接した状態を限界として、それ以上ハンドル３を閉じることができなくなる。このように、傾斜面３６７ｂ同士が当接する位置を下限としてハンドル３の開閉動作が規制されることにより、一対のローラー４の間隔ｄの変更し得る範囲の下限が規制される。
【００９６】
また、図には示さないが、本例においては、規制プレート７１の腕部７１３の長さが、実施例１に比べて３倍程度に長くなっている。腕部７１３を長くすることにより、サブハンドル部３６の剛性をより高めることができる。
【００９７】
その他は実施例１と同様である。なお、図１２〜図１５において用いた符号のうち、実施例１において用いた符号と同一のものは、特に説明のない限り実施例１と同様の構成要素等を示す。
【００９８】
本例のように、サブハンドル部３６にリブ３６４を有するベース部３６１を用い、規制プレート７１の腕部７１３をより長くすることにより、サブハンドル部３６の剛性をより高めることができる。
【００９９】
なお、実施例１及び実施例２には、開閉規制手段として、規制プレート７１及び規制ピン７２を用いた構成や、サブハンドル部３６に規制凸部３６５を設けた構成を説明したが、これ以外の構成を採用することも可能である。例えば、一対のサブハンドル部３６を鎖等で連結することにより、一対のサブハンドル部３６の開閉可能な範囲を鎖の伸びる範囲内に規制する構成がある。
【０１００】
（実施例３）
本例は、一対のローラー４が肌に接触した状態において、２つの太陽電池パネル６（６ａ、６ｂ）が直列接続されるように構成された美容器１の例である。
【０１０１】
図１６に示すように、本例の美容器１は、一対のサブハンドル部３３ａ、３３ｂに、それぞれ太陽電池パネル６ａ、６ｂ及び対電極３３７ａ、３３７ｂを有している。一方のサブハンドル部３３ａに設けられた太陽電池パネル６ａの正極はローラー４ａの作用電極４１ａに接続されており、負極は対電極３３７ａに接続されている。また、他方のサブハンドル部３３ｂに設けられた太陽電池パネル６ｂの正極は対電極３３７ｂに接続されており、負極はローラー４ｂの作用電極４１ｂに接続されている。その他は実施例１と同様である。なお、図１６において用いた符号のうち、実施例１において用いた符号と同一のものは、特に説明の無い限り実施例１と同様の構成要素等を表す。
【０１０２】
本例の美容器１は、太陽電池パネル６、作用電極４１及び対電極３３７が上記のように接続されている。それ故、一対のローラー４が肌に接触した状態において、２つの太陽電池パネル６を共に含む１本の環状の電流経路ｉ３が形成される。電流経路ｉ３は、図１６に示すように、一対の太陽電池パネル６、一対の作用電極４１及び一対の対電極３３７を含んでいる。そして、一対の作用電極４１の間は、一対のローラー４に挟みこまれた肌面８により導通しており、一対の対電極３３７の間は、手のひら８１により導通している。そのため、電流経路ｉ３の経路長を短くできると共に、太陽電池パネル６による起電力を容易に大きくすることができる。これらの結果、一対のローラー４の間に挟みこまれた肌面８に、より確実に、かつ、効率よく微弱電流を流すことができ、より優れた美容効果を期待することができる。その他、実施例１と同様の作用効果を奏することができる。
【符号の説明】
【０１０３】
１  美容器
２  軸部
３  ハンドル
３３、３６  サブハンドル部
３４  連結部
４  ローラー
４１  作用電極
５  付勢手段
６  太陽電池パネル
Ａ  軸線
【図１】
2015163176.tif 000003
【図２】
2015163176.tif 000004
【図３】
2015163176.tif 000005
【図４】
2015163176.tif 000006
【図５】
2015163176.tif 000007
【図６】
2015163176.tif 000008
【図７】
2015163176.tif 000009
【図８】
2015163176.tif 000010
【図９】
2015163176.tif 000011
【図１０】
2015163176.tif 000012
【図１１】
2015163176.tif 000013
【図１２】
2015163176.tif 000014
【図１３】
2015163176.tif 000015
【図１４】
2015163176.tif 000016
【図１５】
2015163176.tif 000017
【図１６】
2015163176.tif 000018